(57)【要約】【課題】間接活線作業においても容易に電線やケーブルを交わすことができる重量物の吊上げ工具を提供する。【解決手段】下端に底板を有し、当該底板の両側から２枚の板体を上方に突出させた軸受９を設け、当該軸受９に略半円形の回転体１０を軸支し、回転体１０の外周縁に断面がＴ字型となる鍔１３を設け、回転体１０の外周縁の一側に切欠き１４を設け、回転体１０の切欠き１４を跨いで、回転体１０の外周縁を摺動自在に把持する摺動ガイド体２２を設け、当該摺動ガイド体２２に吊上げ用のフック受け２３を設け、前記回転体１０に設けた膨出部１５に円弧状透孔１６を穿ち、当該円弧状透孔１６に沿ってラック１７を設け、前記軸受９に、円弧状透孔１６を貫通する入力軸１９を回転自在に設け、円弧透孔１６の脇の入力軸１９に、ラック１７の歯と噛み合う歯車２０を設け、前記軸受９の下に重量物を係止する吊り金具１を水平方向に回転自在に設けた。【選択図】      図１
2016046882.tif 000002
【特許請求の範囲】
【請求項１】
柱上等の構築物の上に重量物を吊上げ、又は吊下げる重量物の吊上げ工具において、
下端に底板を有し、当該底板の両側から２枚の板体を上方に突出させた軸受を設け、当該軸受に略半円形の回転体を軸支し、当該回転体の外周縁に断面がＴ字型となる鍔を設け、当該回転体の外周縁の一側に、電線やケーブル断面が入る大きさの切欠きを設け、当該回転体の前記切欠きを跨いで、回転体の外周縁の鍔を摺動自在に把持する摺動ガイド体を設け、
当該摺動ガイド体に吊上げ用のフック受けを設け、
前記回転体の前記外周縁と反対側に設けた膨出部に、前記軸支部を中心とする円弧状透孔を穿ち、当該円弧状透孔の周縁に沿って多数の歯を有するラックを設け、前記回転体の軸支部の下方の軸受けに、前記円弧状透孔を貫通する入力軸を回転自在に設け、当該円弧透孔の脇の前記入力軸に、前記ラックの歯と噛み合う歯車を設け、また、前記軸受の外側に突出した入力軸の外周に断面が角形の突出部を設け、
前記軸受の下に、前記重量物を係止する吊り金具を水平方向に回転自在に設けたことを特徴とする、重量物の吊上げ工具。
【請求項２】
柱上等の構築物の上に開閉器等の機器を吊上げ、又は吊下げる機器吊上げ工具において、
下端に底板を有し、当該底板の両側から２枚の板体を上方に突出させた軸受を設け、当該軸受に略半円形の回転体を軸支し、当該回転体の外周縁に断面がＴ字型となる鍔を設け、当該回転体の外周縁の一側に、電線やケーブルが入る大きさの切欠きを設け、当該回転体の前記切欠きを跨いで、回転体の外周縁の鍔を摺動自在に把持する摺動ガイド体を設け、
当該摺動ガイド体に吊上げ用のフック受けを設け、
前記回転体の、前記切欠きを挟んで両側に間接活線工具を係止自在な係止孔を設け、
前記軸受の下に、前記重量物を係止する吊り金具を水平方向に回転自在に設けたことを特徴とする、重量物の吊上げ工具。
【請求項３】
前記回転体の外周縁の両端に、当該回転体が前記摺動ガイド体から外れないようにストッパを設けたことを特徴とする、請求項１又は２に記載の重量物の吊上げ工具。
【請求項４】
前記吊り金具が、機器の上端に設けた２本の吊りボルトをそれぞれ螺着自在な２つのナットを有する横棒状の吊り金具であり、前記２つのナットは、当該吊り金具の長手方向に沿って一定幅摺動自在、かつ、着脱自在に設けた、請求項１〜３のいずれかに記載の重量物吊上げ工具。
【発明の詳細な説明】
【技術分野】
【０００１】
この発明は、高圧配電線路等における開閉器や作業工具等の重量物の吊上げ工具であって、特に開閉器等の重量物を地上から柱上に上げる場合、又は柱上から地上に下ろす際に、複数の電線やケーブルを交わして上げたり下げたりできる吊上げ工具に関するものである。
【背景技術】
【０００２】
従来、柱上開閉器の吊上げには、特許文献１に示すように、開閉器の上端に設けられた４本の吊りボルトのうち、片側２本の吊りボルトの上端部を、水平横長の吊り金具の両端部に設けたナットに螺着し、当該吊り金具の中央部に設けたワイヤーに、高所作業車のブームの先端のフックを引っ掛け、前記ブームを動かして開閉器を柱上に吊上げたり、地上に吊下げていた。
【０００３】
また、これらの開閉器の取付け又は取替え作業は、周囲の電線を停電させずに活線状態での作業が要求されており、作業者は高所作業車のバケットの中から、棒状の活線工具を用いて行う、いわゆる間接活線作業により行っている。
【先行技術文献】
【特許文献】
【０００４】
【特許文献１】実公平１−２９７００号公報
【発明の開示】
【発明が解決しようとする課題】
【０００５】
しかしながら、前記開閉器を設置する又は設置されている柱上の下部周囲には多数の電線やケーブルが架設されており、これらの電線やケーブルをくぐったり、乗り越えたりして前記開閉器を吊上げたり、吊下げたりしなければならない。しかもまた、これらの作業を、棒状の工具の先端部を用いて行う間接活線作業で行わなければならない。
【０００６】
そこで、この発明は、柱上等の構築物の上に開閉器等の機器や作業工具等の重量物を吊上げ、又は吊下げる、重量物の吊上げ工具において、容易に電線やケーブルを交わすことができる吊上げ工具を提供することを目的としたものである。
【課題を解決するための手段】
【０００７】
請求項１の発明は、柱上等の構築物の上に重量物を吊上げ、又は吊下げる重量物の吊上げ工具において、下端に底板を有し、当該底板の両側から２枚の板体を上方に突出させた軸受を設け、当該軸受に略半円形の回転体を軸支し、当該回転体の外周縁に断面がＴ字型となる鍔を設け、当該回転体の外周縁の一側に、電線やケーブル断面が入る大きさの切欠きを設け、当該回転体の前記切欠きを跨いで、回転体の外周縁の鍔を摺動自在に把持する摺動ガイド体を設け、当該摺動ガイド体に吊上げ用のフック受けを設け、前記回転体の前記外周縁と反対側に設けた膨出部に、前記軸支部を中心とする円弧状透孔を穿ち、当該円弧状透孔の周縁に沿って多数の歯を有するラックを設け、前記回転体の軸支部の下方の軸受けに、前記円弧状透孔を貫通する入力軸を回転自在に設け、当該円弧透孔の脇の前記入力軸に、前記ラックの歯と噛み合う歯車を設け、また、前記軸受の外側に突出した入力軸の外周に断面が角形の突出部を設け、前記軸受の下に、前記重量物を係止する吊り金具を水平方向に回転自在に設けた、重量物の吊上げ工具とした。
【０００８】
また、請求項２の発明は、柱上等の構築物の上に開閉器等の機器を吊上げ、又は吊下げる機器吊上げ工具において、下端に底板を有し、当該底板の両側から２枚の板体を上方に突出させた軸受を設け、当該軸受に略半円形の回転体を軸支し、当該回転体の外周縁に断面がＴ字型となる鍔を設け、当該回転体の外周縁の一側に、電線やケーブルが入る大きさの切欠きを設け、当該回転体の前記切欠きを跨いで、回転体の外周縁の鍔を摺動自在に把持する摺動ガイド体を設け、当該摺動ガイド体に吊上げ用のフック受けを設け、前記回転体の、前記切欠きを挟んで両側に間接活線工具を係止自在な係止孔を設け、  前記軸受の下に、前記重量物を係止する吊り金具を水平方向に回転自在に設けた、重量物の吊上げ工具とした。
【０００９】
請求項３の発明は、前記回転体の外周縁の両端に、当該回転体が前記摺動ガイド体から外れないようにストッパを設けた、請求項１又は２に記載の重量物の吊上げ工具とした。
【００１０】
また、請求項４の発明は、前記吊り金具が、機器の上端に設けた２本の吊りボルトをそれぞれ螺着自在な２つのナットを有する横棒状の吊り金具であり、前記２つのナットは、当該吊り金具の長手方向に沿って一定幅摺動自在、かつ、着脱自在に設けた、請求項１〜３のいずれかに記載の重量物の吊上げ工具とした。
【発明の効果】
【００１１】
開閉器等の機器や作業工具等の重量物を、柱上等の支持物の上に据え付ける場合に、吊上げ工具を用いて重量物を吊り上げるが、吊上げ経路に電線やケーブルが存在している場合、吊上げる重量物はかなりの重さがあるため、前記電線やケーブルを交わして吊上げるのはかなり難しい作業となる。ましてや間接活線工具を用いて操作するのは極めて難しい。しかしながら、請求項１の発明によれば、前記電線やケーブルを容易に交わして吊上げることが出来る。従って、重量物が機器の場合であって、当該機器を吊上げる、又は吊下げる周囲に電線やケーブルが輻輳している箇所でも機器を容易に吊上げることが出来る。
【００１２】
当該請求項１の発明においては、作業者が工具を用いて、重量物吊上げ工具の入力軸をまわし、これにより回転体を回転させ、切欠きの開口部を摺動ガイド体からはずし、当該工具の一側脇の電線又はケーブルを前記切欠きの開口部から切欠き内に入れる。そして、工具により入力軸を回して回転体を回転させ、摺動ガイド体を挟んだ反対側に切欠きを電線又はケーブルとともに移動させ、当該吊上げ工具の他側に開口した切欠きから電線又はケーブルを外して、当該電線又はケーブルを交わす。これは、工具により入力軸と一体な歯車を回転させ、当該歯車と噛み合ったラックにより回転体を回転さるため、大きな労力を要せず、回転体を確実に回転させることが出来る。また、この作業は間接活線作業にも適用でき、その際は間接活線工具を用いて前記入力軸を回すことが出来る。
【００１３】
また、請求項２の発明によれば、重量物を吊上げたり、吊下げたりする場合でも前記電線やケーブルを容易に交わして吊上げることが出来る。従って、重量物が機器の場合であって、当該機器を据え付ける周囲に電線やケーブルが輻輳している箇所でも機器を容易に吊上げることができる。
【００１４】
当該請求項２の発明においては、作業者が先端にフック部を有する工具を当該吊上げ工具の回転体の一方の係止孔に引っ掛けてこれを引っ張ることにより回転体を回転させ、切欠きの開口部を摺動ガイド体からはずし、当該吊上げ工具の一側脇の電線又はケーブルを前記切欠きの開口部から切欠き内に入れる。そして、作業者は先端にフック部を有する工具を回転体の他方の係止孔に引っ掛けて回転体を回し、摺動ガイド体を挟んだ反対側に切欠きを電線又はケーブルとともに移動させ、当該吊上げ工具の他側に開口した切欠きから電線又はケーブルを外して、当該電線又はケーブルを交わす。この様に先端にフック部を有する工具を係止孔に引っ掛けて回転体を回せばよく、作業者の操作が極めて容易である。また、この作業は間接活線作業にも適用でき、その際は間接活線工具を用いて前記係止孔に引っ掛けて回転体を回すことが出来る。
【００１５】
また、請求項３の発明によれば、回転体の外周縁の両端にストッパを有するため、間接活線工具を用いて回転体を回転させる場合あっても、回転体が回りすぎて、摺動ガイド体が外れるということが無く、安全に作業が出来る。
【００１６】
また、請求項４の発明によれば、機器の２本の吊下げボルトの間隔に、吊り金具の２つのナットをそれぞれ合わせることが出来、また、前記吊り下げボルトの径に合わせて、吊り金具の２つのナットの大きさを変えることが出来る、汎用性のあるものである。
【図面の簡単な説明】
【００１７】
【図１】この発明の実施の形態例１の重量物の吊上げ工具の正面図である。
【図２】この発明の実施の形態例１の重量物の吊上げ工具の中央縦断面図である。
【図３】この発明の実施の形態例１の重量物の吊上げ工具の吊り金具本体の平面図である。
【図４】この発明の実施の形態例１の重量物の吊上げ工具の吊り金具本体の底面図である。
【図５】この発明の実施の形態例１の重量物の吊上げ工具の吊り金具本体の側面図である。
【図６】この発明の実施の形態例１の重量物の吊上げ工具の吊り金具に取り付けるナットの図であり、（ａ）図は平面図、（ｂ）図は正面図である。
【図７】この発明の実施の形態例１の重量物の吊上げ工具の吊り金具に取り付ける他のナットの図であり、（ａ）図は平面図、（ｂ）図は正面図である。
【図８】この発明の実施の形態例１の重量物の吊上げ工具の回転体の正面図である。
【図９】この発明の実施の形態例１の重量物の吊上げ工具の回転体の側面図である。
【図１０】この発明の実施の形態例１の重量物の吊上げ工具の要部拡大縦断面図である。
【図１１】この発明の実施の形態例１の重量物の吊上げ工具で開閉器を吊上げる状態を示す正面図である。
【図１２】この発明の実施の形態例１の重量物の吊上げ工具で電線又はケーブルを交わす第１工程を示す拡大正面図である。
【図１３】この発明の実施の形態例１の重量物の吊上げ工具で電線又はケーブルを交わす第２工程を示す拡大正面図である。
【図１４】この発明の実施の形態例２の重量物の吊上げ工具の正面図である。
【図１５】この発明の実施の形態例２の重量物の吊上げ工具の中央縦断面図である。
【発明を実施するための形態】
【００１８】
（実施の形態例１）
以下、この発明の実施の形態例１の重量物の吊上げ工具Ａを図１〜図１０に基づいて説明する。
【００１９】
当該重量物の吊上げ工具Ａは、横棒状の吊り金具１と、線交わし部２と吊下げ部３とから構成されている。吊り金具１は角筒状のパイプから成り、図３に示すように、上面の両側に、長手方向に伸びた長透孔４、４を穿っており、これらの長透孔４、４の端部は吊り金具1の端縁まで伸びて開口している。また、これらの各長透孔４に対向して、図４に示すように、底面に長透孔５，５をそれぞれ設けている。
【００２０】
上記吊り金具１内には、図５に示すように、両側の前記長透孔４、４から上方に頭部を突出させてナット６が摺動自在に挿入されている。そして、これらのナット６は前記各長透孔４の長手方向幅で摺動自在であり、図４に示すように、ナット６のねじ穴は底面の各長透孔５に対応している。また、吊り金具１の両端には上記各ナット６の抜け防止ボルト７が設けられている。
【００２１】
前記ナット６は、図６に示すように、上端に外周が６角形の頭部６ａを有する円筒形本体６ｂの下端に大径の鍔６ｃを有し、これらをねじ穴６ｄが貫通しているものであり、前述のように頭部６ａを吊り金具１の上面から突出させるものである。また、当該ナット６に代えて、図7に示すように、外周が６角形の本体８ａの下端に鍔８ｂを有し、これらをねじ穴８ｃが貫通しているナット８でも良い。当該ナット８は本体８ａの上部を吊り金具１の上面から突出させるものであり、前記ナット６よりねじ穴径が小さいものである。
【００２２】
また、前記線交わし部２は、図１及び２に示すように、前記吊り金具１の中央部上面に設けた軸受９と当該軸受９に軸支された略半円形の回転体１０とから構成される。前記軸受９は、２枚の間隔を空けた板体を下端の底板でつなぎ、当該底板と前記吊り金具１の上面を貫通する垂直軸１１により、吊り金具１の上面で水平方向に回転自在に接続されている。
【００２３】
また、当該軸受９の２枚の板体間に水平軸１２を渡し、当該軸１２に前記回転体１０が回転自在に軸支されている。当該回転体１０は、図２及び図１０に示すように、半円形の外周縁に鍔１３を設けて断面をＴ字型にしている。また、図８に示すように、当該外周縁の略中央部に開口した切欠き１４を設け、当該切欠き１４の大きさは電線やケーブルが入る大きさとなっている。
【００２４】
前記回転体１０は前記切欠き１４と軸支部を挟んだ反対側が膨出部１５となっており、当該膨出部１５に、前記軸支部を中心とした円弧上に円弧状透孔１６が設けられている。また、当該円弧状透孔１６の外側に、当該円弧状透孔１６に沿って、多数の歯を有するラック１７が設けられている。また、前記鍔１３の両端脇には、図８及び図９に示すように、前記吊下げ部３から回転体１０が脱落しないようにストッパ１８が設けられている。
【００２５】
また、前記水平軸１２の下方の軸受９の両側の板体間に、前記回転体１０の円弧状透孔１６を貫通した入力軸１９を渡し、その両端を軸受９の両外側に夫々突出させている。そして、前記ラック１７に対向した箇所の入力軸１９の外周に歯車２０を一体に設け、当該歯車２０は前記ラック１７の歯と噛み合うようになっている。また、軸受９の外側に突出した入力軸１９の外周に断面が角形の突出部２１を設けて、当該突出部２１に作業者が間接活線工具を係止して入力軸１９を回すものである。
【００２６】
この入力軸１９は、図２及び図１０に示すように、軸受９の両側に突出しており、前記突出部２１は両側の入力軸１９の基端部に設けられているため、回転体１０のどちら側からでも間接活線工具を突出部２１に嵌めて、回すことができる。また、各側の入力軸１９の先端部は小径で、奥の各突出部が大径となっているため、間接活線工具を各突出部２１の外周に嵌める際、入力軸１９の先端部がガイドの役目を果たし、前記工具を各突出部２１の外周に嵌めやすい構成となっている。
【００２７】
次に、前記吊下げ部３について説明する。当該吊下げ部３は、前記回転体１０の前記切欠き１４を跨いで、回転体１０の外周縁の鍔１３を摺動自在に把持する摺動ガイド体２２と当該摺動ガイド体２２の上端に一体に設けた吊上げ用のフック受け２３から構成されている。
【００２８】
摺動ガイド体２２は、図２及び図１０に示すように、回転体１０の外周の鍔１３を把持する凹部２２ａを有している。当該凹部２２ａは回転体１０の外周円弧と同じように円弧状に伸びている。そして当該凹部２２ａ内に、前記鍔１３の下面に当接して支持する多数の小ローラ２４を回転体１０の外周縁に沿って弧状に設け、当該摺動ガイド体２２はこれらの小ローラ２４を回しながら回転体１０の外周縁に対して摺動自在となっている。また、前記吊上げ用のフック受け２３には、高所作業車のブーム先端のフックが引っ掛かる大きさの孔２５が設けられている。
【００２９】
この実施の形態例1の重量物の吊上げ工具Ａを用いて、開閉器３０を吊り上げるには、図１１に示すように、開閉器３０の上端部から突出した４本の吊りボルト３１（図１１では２本のみ図示）のうちの片側２本を当該重量物の吊上げ工具Ａの吊り金具１の両側のナット６、６のねじ穴に挿入し、各吊りボルト３１の先端部を各ナット６に螺着し、接続する。
【００３０】
そして、重量物の吊上げ工具Ａの吊上げ部３の孔２５に高所作業車のブームの先端のフック（図示省略）を掛ける。そして、ブームを動かし、当該重量物の吊上げ工具Ａを介して開閉器３０を吊り上げる。
【００３１】
その際、柱上の開閉器の据え付け箇所まで開閉器３０を吊上げる経路に電線又はケーブルが張られている場合、当該電線又はケーブルを交わさなければならない。そこで、作業者は高所作業車のバケットの中から、間接活線工具を操作して、当該重量物の吊上げ工具Ａの回転体１０を回す。これには間接活線工具の先端係止部（図示省略）を入力軸１９の突出部２１に係止して入力軸１９を回す。
【００３２】
これにより入力軸１９の歯車２０が回転体１０のラック１７を動かし、回転体１０は水平軸１２を中心に回転し、図１２に示すように、摺動ガイド体２２から回転体１０の切欠き１４の開口部を外し、電線又はケーブル３２が切欠き１４に入るように当該機器吊上げ工具Ａを動かす。その際、当該重量物の吊上げ工具Ａは重量のある開閉器３０に引っ張られているため、回転体１０は容易に動かないが、上述のように、歯車２０とラック１７を用いているため、小さな力で回転体１０を動かすことが出来る。
【００３３】
そして、図１２の状態から、さらに間接活線工具を用いて入力軸１９を反対側に回し、電線又はケーブル３２を切欠き１４に咥えながら、回転体１０を回しつつ、重量物の吊上げ工具Ａを動かし、図１３に示すように、回転体１０の切欠き１４の開口部が前記摺動ガイド体２２の他側に位置して開き、電線又はケーブル３２を交わすことが出来る。
【００３４】
（実施の形態例２）
次に、この発明の実施の形態例２の重量物の吊上げ工具Ｂについて、図１４及び図１５に基づいて説明する。
【００３５】
当該重量物の吊上げ工具Ｂは、前記重量物の吊上げ工具Ａと異なり、入力軸を回して、歯車とラックの噛みあわせを介して回転体を回転させるものではない。
【００３６】
すなわち、前記間接活線工具のフック部を、回転体１０に設けた係止孔に引っ掛けて引っ張ることにより回転体を回すものである。具体的には回転体１０の、切欠き１４を挟んだ両側に係止孔２６、２６を設けたものであるが、前記重量物の吊上げ工具Ａの円弧状透孔１６、ラック１７、入力軸１９、歯車２０及び突出部２１を有しないものである。他の部分は重量物の吊上げ工具Ａと同じ構成である。
【００３７】
この重量物の吊上げ工具Ｂの場合は、重量の大きな開閉器３０を吊上げる際、その経路に電線又はケーブルがある場合、間接活線工具を回転体１０の一方の係止孔２６に引っ掛けてこれを引っ張り、回転体１０を回して、切欠き１４の開口部を一側に開け、当該切欠き１４に電線又はケーブルを入れて、他方の係止孔２６に引っ掛けて回転体を回わし、当該重量物の吊上げ工具Ｂを電線又はケーブルの一側から他側に重量物の吊上げ工具Ｂを移すことができる。
【００３８】
なお、上記の実施の形態例１、２では開閉器の吊り上げ用の重量物の吊上げ工具の例を示しているが、この発明の対象の吊上げるものは開閉器等の機器に限るものではなく、作業工具等、重量物であれば吊上げ、吊下げに使用できる。その場合、前記吊上げ金具１は単にフック状の吊上げ金具でも良く、重量物を係止自在は構造であればどのような構造の吊り金具でもよい。また、上記実施の形態例では間接活線作業の例を示しているが、この発明は、勿論、間接活線作業に限らず、他の一般の工事作業にも使用できる。
【符号の説明】
【００３９】
Ａ      重量物の吊上げ工具        Ｂ      重量物の吊上げ工具
１      吊り金具                  ２       線交わし部
３      吊下げ部                  ４       長透孔
５      長透孔                    ６        ナット
７      抜け防止ボルト            ８        ナット
９      軸受                      １０    回転体
１１    垂直軸                    １２    水平軸
１３    鍔                        １４    切欠き
１５    膨出部                    １６    円弧状透孔
１７    ラック                    １８    ストッパ
１９    入力軸                    ２０    歯車
２１    突出部                    ２２    摺動ガイド体
２３    フック受け                ２４    小ローラ
２５    孔                        ２６    係止孔
３０    開閉器                    ３１    吊りボルト
【図１】
2016046882.tif 000003
【図２】
2016046882.tif 000004
【図３】
2016046882.tif 000005
【図４】
2016046882.tif 000006
【図５】
2016046882.tif 000007
【図６】
2016046882.tif 000008
【図７】
2016046882.tif 000009
【図８】
2016046882.tif 000010
【図９】
2016046882.tif 000011
【図１０】
2016046882.tif 000012
【図１１】
2016046882.tif 000013
【図１２】
2016046882.tif 000014
【図１３】
2016046882.tif 000015
【図１４】
2016046882.tif 000016
【図１５】
2016046882.tif 000017